(57)【特許請求の範囲】
【請求項１】
制御ユニット（１）によって制御される電気モータ（３）を備えるアクチュエータの姿勢位置を検出するための位置センサ（１０）であって、
前記位置センサ（１０）は、前記位置センサを動作させるための電気エネルギを、モータ端子の制御線路（４，５）を介して取り出すように構成されており、前記電気モータ（３）の前記モータ端子の少なくとも一方は、前記位置センサ（１０）に正のパルス電圧を供給するように構成されており、
前記モータ端子（４，５）の前記パルス電圧を整流及びフィルタリングするために、ブリッジ回路を含む整流回路（６）と、フィルタコンポーネントとが設けられており、前記整流回路（６）と、前記フィルタコンポーネントとしての蓄電コンデンサ（１１）と、電圧制御器（９）とが、前記位置センサ（１０）の評価回路と共に１つの集積回路に統合されており、
前記集積回路は、前記評価回路を備える前記位置センサ（１０）のＩＣハウジング（２）内に組み込まれており、
規定された範囲内の、前記位置センサ（１０）の出力信号は、前記位置センサ（１０）の給電電圧に依存しないままである、
ことを特徴とする位置センサ（１０）。
【請求項２】
モータ制御部のブリッジ回路及び前記評価回路のために共通の１つのアースが設けられている、
請求項１記載の位置センサ（１０）。
【請求項３】
前記整流回路（６）は、ハーフブリッジを含む、
請求項１または２記載の位置センサ（１０）。
【請求項４】
前記整流回路（６）は、アクティブトランジスタから構成されている、
請求項１から３のいずれか１項記載の位置センサ（１０）。
【発明の詳細な説明】
【技術分野】
【０００１】
本発明は、請求項１の上位概念に記載の特徴を有する、制御ユニットによって制御される電気モータを備えるアクチュエータの姿勢位置を検出するための位置センサに関する。
【０００２】
能動型の電子的な位置センサは、種々の目的のために使用され、例えば自動車においてバルブ又はフラップの姿勢位置をフィードバックするために使用される。このようなバルブ及びフラップは、電気モータによって駆動され、その姿勢位置が検出される。統合された複数のアセンブリが、１つのアクチュエータを形成する。この場合には、給電線を介して接続された制御ユニット、例えばモータ制御エレクトロニクス（ＥＣＵ）が、電気モータを制御する。電気モータは、例えば操作要素を駆動し、この操作要素の姿勢変化が、伝動装置を介して位置センサによって検出される。この位置センサを動作させるためには、給電電圧が必要である。
【０００３】
従来技術では、アクチュエータの姿勢検出又は姿勢制御のための能動型の位置センサには、別個の給電線を用いて電気エネルギ（一般に電圧）が給電される。アクチュエータ位置を伝送するためには種々の出力信号が存在する。公知のアナログインターフェースは、給電電圧に対してレシオメトリック特性を有する。従ってこの場合には、制御ユニットにおいて基準として形成される給電電圧も、位置センサに直接的に接続されなければならない。位置センサの出力信号が給電電圧に依存していない（レシオメトリック特性を有しない）場合には、また事情が異なる。この場合には、他の方法でセンサにエネルギを給電できれば、必ずしも制御ユニットから給電電圧を供給する必要はない。しかしながら依然として、位置センサのためにモータとは別個の給電電圧、例えば５Ｖの電圧を、別個の給電線を介して供給しなければならないという問題が存在する。このことは、例えばポイント・ツー・ポイント接続（バスではない）のためにデジタルのシリアルＳＥＮＴプロトコルが使用される、新たに導入されたデジタル式の位置信号伝送にも言える。
【０００４】
当然ながら、このような別個の給電線の配置には手間が掛かる。
【０００５】
米国特許第５３８９８６４号明細書からは、請求項１の上位概念に記載の特徴を有する位置センサが公知である。この公知のセンサの場合には、ポテンショメータとして構成された位置センサを動作させるための電気エネルギが、モータ端子の制御線路を介して取り出される。
【０００６】
位置センサのエネルギ給電部が相応に配置されているアクチュエータシステムは、米国特許第６５４５４４１号明細書から公知である。
【０００７】
独国特許出願公開第１９９４６９１７号明細書はさらに、近接センサを開示しており、ここでは、センサの機能全体が唯１つの集積素子（ＩＣ）に統合されており、使用のためには、このＩＣにエネルギ給電部が加えられるだけである。
【０００８】
本発明の基礎となる課題は、冒頭に述べた形式の位置センサを改良して、構造が特に単純であるという点において優れている位置センサを提供することである。
【０００９】
上記の課題は、本発明によれば、上述された形式の位置センサにおいて請求項１の特徴によって解決される。
【００１０】
本発明に係る解決策では、位置センサに別個の給電電圧を印加するための別個の給電線が省略される。その代わりに本発明は、既存の制御ユニットのモータの、いずれにせよ既存の制御線路又は給電線路を、位置センサに電気エネルギを給電するためにも利用する。従って、追加的な線路を省略することができる。
【００１１】
本発明に係る解決策では、整流回路が、位置センサの評価回路と共に１つの集積回路に統合されている。整流回路を組み込むことによって低コストの解決策が得られ、且つ、プリント基板に比べて格段に信頼性が高くロバストな構成が得られるという利点が生じる。これに加えて、この整流回路を組み込むという解決策は、構造スペースに鑑みて格段に小さい。この場合には、整流回路は、評価回路を備える位置センサのＩＣハウジング内に組み込まれている。
【００１２】
更なるフィルタコンポーネントも、位置センサの評価回路と共に統合されている。好ましくは電圧制御器も、評価回路と共に１つの集積回路に統合される。
【００１３】
蓄電コンデンサを、集積回路に統合することが可能であり、或いは、構造スペース上の理由からこの蓄電コンデンサを組み込むことができない場合には、集積回路の外部に接続させることも可能である。
【００１４】
さらに好ましくは、整流回路の下流に電圧制御器が接続されており、この電圧制御器も、位置センサの集積回路内に収容することができる。
【００１５】
前記更なるフィルタコンポーネントも、評価回路を備える位置センサのＩＣハウジング内に組み込まれている。
【００１６】
整流回路は、とりわけダイオードを備えるブリッジ回路を含むことができる。特別な１つの実施形態では、ハーフブリッジが使用される。
【００１７】
さらには、整流回路をアクティブトランジスタから構成することができる。この場合には、電圧降下がより小さくなる。
【００１８】
とりわけ、規定された範囲内の出力信号は、位置センサの給電電圧に依存しないままである。
【００１９】
従って、本発明は、位置センサを駆動するための電気エネルギがモータの制御線路のモータ端子を介して制御ユニットから取り出される、位置センサに関する。制御ユニットの制御線路のモータ端子のタップの下流には、フィルタリングされた直流電圧を形成するための整流回路が配置されており、この直流電圧が、位置センサに充分な電圧を給電する。この整流電圧は、位置センサの評価回路と共に１つの集積回路に統合されている。
【００２０】
以下、本発明を、複数の実施例に基づいて図面を参照しながら詳細に説明する。
【図面の簡単な説明】
【００２１】
【図１】制御ユニットと位置センサとを備えるアクチュエータの第１実施形態のブロック回路図である。
【図２】制御ユニットと位置センサとを備えるアクチュエータの第２実施形態のブロック回路図である。
【図３】制御ユニットと位置センサとを備えるアクチュエータの第３実施形態のブロック回路図である。
【図４】制御ユニットと位置センサとを備えるアクチュエータの第４実施形態のブロック回路図である。
【００２２】
図１は、電圧が給電される制御ユニット（ＥＣＵ）１によって制御されるアクチュエータのブロック回路図を示す。アクチュエータは、図示されていない操作要素を操作する電気モータ３を有し、この操作要素の位置又は位置変化が、位置センサ１０によって検出される。この対応する位置又は位置変化は、電気信号の形態で位置センサ１０から制御ユニット１の出力線路１２を介して供給される。
【００２３】
電気モータ３には、制御ユニット１の線路４，５を介してパルス電圧が印加される。電気モータ３への給電はさらに、位置センサ１０を電気エネルギ（直流電圧）によって動作させるために利用され、従って、この位置センサ１０を動作させるための別個の給電線を省略することが可能である。この場合にはとりわけ、モータ端子のタップの下流に、直列抵抗８と蓄電コンデンサ１１と電圧制御器９とを備える整流回路６が設けられている。こうすることによってフィルタリングされた直流電圧が形成され、この直流電圧が電子的な位置センサ１０に充分な電圧を給電する。
【００２４】
図１に図示された実施形態では、整流回路６は、ダイオード７を備えるハーフブリッジの形態のブリッジ回路を有する。ここでは、少なくとも１つの端子が正の電圧を周期的な間隔で供給し、ブリッジ回路及び信号評価器のために共通の１つのアースが設けられている。この場合、電気モータ３を動作させるための駆動電圧の端子は、モータの無負荷運転中及び／又はモータの制動中に２つのモータ端子の少なくとも一方が正の電圧に接続されるように、接続されている。
【００２５】
ここでは、直列抵抗８と蓄電コンデンサ１１と電圧制御器９とを備える整流回路６が、同じ１つのＩＣハウジング２内に組み込まれており、このＩＣハウジング２内には、評価回路を備える位置センサ１０が位置している。このようにして、特に信頼性が高くロバストな構成をもたらす、低コストの解決策が得られる。整流回路が組み込まれるこの解決策はさらに、特に小さい構造スペースしか必要としない。
【００２６】
図２の実施形態は実質的に、蓄電コンデンサ１１がＩＣハウジング２内に組み込まれておらず、外部に接続されているという点のみにおいて図１と異なっている。この解決策は、構造スペース上の理由からコンデンサを組み込むことができない場合に実施される。
【００２７】
図１及び２の２つの実施形態では、整流回路６がハーフブリッジ整流器として構成されており、センサの給電のために別個のアース線路が与えられる。
【００２８】
図１及び２の実施形態の２つのダイオード７の代わりに、同じ課題を解決する２つの電圧制御器を使用してもよい。
【００２９】
図３に図示された実施形態は、整流回路６をフルブリッジ整流器として構成する解決策を示しており、このフルブリッジ整流器によって、別個のアース線路を用いることなくセンサ１０に給電することが可能となる。ここでは、蓄電コンデンサ１１は、外部に接続されている。
【００３０】
図４は、図３に類似しているが、蓄電コンデンサ１１が組み込まれている実施形態を示す。
【００３１】
全ての実施形態は、モータ端子を介した電圧の給電と、センサのＩＣハウジングへの整流回路の組み込み（ＡＳＩＣへの集積）とが実現された、位置センサ１０に関する。
【図１】
0006324519.tif 000002
【図２】
0006324519.tif 000003
【図３】
0006324519.tif 000004
【図４】
0006324519.tif 000005